(57)【要約】【課題】暗がりのなかでの安全性を向上することができ、また、照明での有利性を発揮することができる出隅構造を提供する。【解決手段】壁面１，２間の出隅部３に、例えば、竹を思わせる外観の発光部４が備えられている。【選択図】      図１
2005285664.tif 000002
【特許請求の範囲】
【請求項１】
壁面間の出隅部に、出隅部であることを示す発光部が備えられていることを特徴とする発光出隅構造。
【請求項２】
前記出隅部に、断面円弧状で透光性を有する不透明な出隅カバーが、上下方向に延びるようにして備えられ、
出隅カバーの背後の高さ方向中間部に、該カバーの円弧形状に沿うように水平方向に円弧状に延びる線状で遮光性の光源カバーが備えられ、光源が該光源カバーの背後に設置され、光源を点灯することで、出隅カバーが竹の節を思わせる影をつけて発光するようになされている請求項１に記載の発光出隅構造。
【請求項３】
壁面間の出隅部に、該出隅部を挟む両壁面部を照らす光源が備えられていることを特徴とする発光出隅構造。
【請求項４】
前記出隅部に、遮光性で内面反射面の出隅カバーが設置されると共に、出隅カバーの背後に前記光源が備えられ、かつ、該出隅カバーと一方の壁面部との間、及び、該出隅カバーともう一方の壁面部との間のそれぞれに透光部が備えられ、
出隅部を挟む両壁面部のそれぞれが、前記光源を共通光源とし、出隅カバーの内面部で反射し、前記各透光部を通過した該共通光源の光で照らされるようになされている請求項３に記載の発光出隅構造。
【請求項５】
上の壁面と下の天井面との間の出隅部に、遮光性で内面反射面の出隅カバーが設置されると共に、出隅カバーの背後に光源が備えられ、かつ、該出隅カバーと壁面部との間、及び、該出隅カバーと天井面部との間のそれぞれに透光部が備えられ、
前記出隅部を挟む壁面部の側と天井面部の側のそれぞれが、前記光源を共通光源とし、出隅カバーの内面部で反射し、前記各透光部を通過した該共通光源の光で照らされるようになされていることを特徴とする発光出隅構造。
【発明の詳細な説明】
【技術分野】
【０００１】
本発明は、発光出隅構造に関する。
【背景技術】
【０００２】
建物などにおいて、壁面と壁面との出会い部などに存在するの出隅部は、屋内外にかかわらず、必ずといってよいほど存在している。
【発明の開示】
【発明が解決しようとする課題】
【０００３】
しかしながら、壁と壁の間の出隅部は、一般部が変化するところであり、暗がりのなかで、からだをぶつけたり蹴ったりしやすく危険であるとか、照明との関係で一方を照らせばもう一方は陰になってしまうなどの問題をはらんでいるところでもある。
【０００４】
本発明は、上記のような問題点に鑑み、出隅部の有する問題点を解決し、暗がりのなかでの安全性を向上することができ、また、照明での有利性を発揮することができる出隅構造を提供することを課題とする。
【課題を解決するための手段】
【０００５】
上記の課題は、壁面間の出隅部に、出隅部であることを示す発光部が備えられていることを特徴とする発光出隅構造によって解決される（第１発明）。
【０００６】
この構造では、暗がりのなかでも、出隅部における発光によって、出隅部を視覚的に明確に認識することができ、そのため、からだをぶつけたり、蹴ったりする危険性がなくなり、安全に行き来することができる。
【０００７】
上記の第１発明において、出隅部に、断面円弧状で透光性を有する不透明な出隅カバーが、上下方向に延びるようにして備えられ、
出隅カバーの背後の高さ方向中間部に、該カバーの円弧形状に沿うように水平方向に円弧状に延びる線状で遮光性の光源カバーが備えられ、光源が該光源カバーの背後に設置され、光源を点灯することで、出隅カバーが竹の節を思わせる影をつけて発光するようになされているとよい（第２発明）。
【０００８】
この構造では、遮光性の光源カバーが備えられているので、光源の光が出隅カバーに直接当たらず、また、出隅カバーは透光性を有する不透明なものからなっているので、出隅部からの発光を柔らかいものにすることができる。
【０００９】
のみならず、光源カバーは断面円弧状をしており、光源カバーはそれに沿うように水平方向に延びる線状をして、光源を点灯することで、出隅カバーが竹の節を思わせる影をつけて発光するようになされており、なおかつ、光源カバーは出隅カバーの背後の高さ方向中間部に位置しているので、光源カバーから高さ方向に離れるに従って光の減衰を生じて出隅カバーに明るさの勾配を生じ、この明るさの勾配が、光源カバーが出隅カバーに竹の節を思わせる影をつけることとの働き合いによって、出隅カバーにまさしく竹を思わせる外観を備えさせることができて、看者に和の審美的印象を与えることができる。
【００１０】
また、上記の課題は、壁面間の出隅部に、該出隅部を挟む両壁面部を照らす光源が備えられていることを特徴とする発光出隅構造によって解決される（第３発明）。
【００１１】
この構造では、出隅部を挟む両壁面部が照らされることにより、暗がりのなかでも、照らされた両壁面部の一方又は両方を視覚的に認識できることで、出隅部の存在を明確に把握することができ、そのため、からだをぶつけたり、蹴ったりする危険性がなくなり、安全に行き来することができる。
【００１２】
第３発明の構造において、出隅部に、遮光性で内面反射面の出隅カバーが設置されると共に、出隅カバーの背後に前記光源が備えられ、かつ、該出隅カバーと一方の壁面部との間、及び、該出隅カバーともう一方の壁面部との間のそれぞれに透光部が備えられ、
出隅部を挟む両壁面部のそれぞれが、前記光源を共通光源とし、出隅カバーの内面部で反射し、前記各透光部を通過した該共通光源の光で照らされるようになされているとよい（第４発明）。
【００１３】
この場合は、両壁面部を照らす光源の数を、それぞれの壁面をそれぞれの光源で照らす場合に比べて半減することができ、両壁面部をともに照らすのに要するコストを低く抑えることができるし、光源を出隅部の一カ所に集中させることができてメンテナンス等も容易に行うことができる。
【００１４】
また、上記の課題は、上の壁面と下の天井面との間の出隅部に、遮光性で内面反射面の出隅カバーが設置されると共に、出隅カバーの背後に光源が備えられ、かつ、該出隅カバーと壁面部との間、及び、該出隅カバーと天井面部との間のそれぞれに透光部が備えられ、
前記出隅部を挟む壁面部の側と天井面部の側のそれぞれが、前記光源を共通光源とし、出隅カバーの内面部で反射し、前記各透光部を通過した該共通光源の光で照らされるようになされていることを特徴とする発光出隅構造によって解決される（第５発明）。
【００１５】
この構造では、共通光源によって、出隅部を挟む壁面部の側と天井面部の側の両方が照らされることにより、これら壁面部の側と天井面部の側を照らす光源の数を、それぞれの面部の側をそれぞれの光源で照らす場合に比べて半減することができ、壁面部の側と天井面部の側をともに照らすのに要するコストを低く抑えることができて経済的であり、また、光源を出隅部の一カ所に集中させることができてメンテナンス等も容易に行うことができる。更に、光源は、遮光性の出隅カバーでカバーされているので、出隅を直視した際にまばゆさを感じることもなく、まぶしさから無意識にうちに出隅部から目をそらしてしまうのを防ぐことができる。
【発明の効果】
【００１６】
本発明は、以上のとおりのものであるから、暗がりのなかでの安全性を向上することができ、また、照明での有利性を発揮することができる。
【発明を実施するための最良の形態】
【００１７】
次に、本発明の実施最良形態を図面に基づいて説明する。
【００１８】
図１〜図３に示す第１実施形態の発光出隅構造は、廊下やリビングなどにおける壁面１，２間の出隅部３に適用した場合のもので、該出隅部３に上下方向に延びる発光部４が備えられている。該発光部４は、出隅部３の存在を示すサイン形式のものであってもよいし、周囲を照らす能力を備えた照明形式のものであってもよい。
【００１９】
本実施形態では、発光部４は、出隅カバー５と、光源６…と、光源カバー７…と、出隅カバー取付け金物８，８と、見切り材９，９とで構成されており、出隅カバー５は、透光性を有する不透明なカバーで、上下方向に延びる長物からなっていて、出隅部３に丸みをもたせるため、断面は１／４円弧状をしている。そして、出隅部３には、上下方向に延びる凹所１０が設けられていて、そこに、光源６…と光源カバー７とが設置され、出隅カバー５が、これら光源６…と光源カバー７とを背後に隠すように、取付け金物８，８で取り付けられ、見切り材９，９で仕上げられるようになされている。
【００２０】
光源カバー７は、遮光性のものからなっていて、出隅カバー５の円弧形状に沿うように水平方向に円弧状に延びる帯線状をしたカバー本体部７ａを備え、該カバー本体部７ａの両端に備えられた取付け部７ｂ，７ｂを、出隅部３の凹所１０を囲む下地面に取り付けることで、凹所１０内に設置されている。本実施形態では、この光源カバー７が、出隅部３の高さ方向に間隔をおくようにして複数備えられている。
【００２１】
そして、光源６…はＬＥＤなどからなっていて、各光源カバー７の帯線状カバー本体部７ａの背面側に、該光源カバー７に取り付いて円弧方向に沿うように複数列設され、各光源６…を点灯することにより、出隅カバー５が竹の節を思わせる影をつけて発光するようになされている。
【００２２】
上記の発光出隅構造では、暗がりのなかでも、出隅部３における発光部４の発光によって、出隅部３を視覚的に明確に認識することができ、そのため、からだをぶつけたり、蹴ったりする危険性がなくなり、安全に行き来することができる。
【００２３】
しかも、遮光性の光源カバー７…が備えられているので、光源６…の光が出隅カバー５に直接当たらず、また、出隅カバー５は透光性を有する不透明なものからなっているので、出隅部３からの発光を柔らかいものにすることができる。
【００２４】
加えて、光源カバー７は断面外周が１／４円弧状をしており、光源カバー７はそれに沿うように水平方向に延びる帯線状をして、光源６を点灯することで、出隅カバー５が竹の節を思わせる影をつけて発光するようになされていること、そして、光源カバー７は出隅カバー５の背後の高さ方向中間部に位置し、しかも、本実施形態では高さ方向に間隔をおいて複数備えられていて、光の減衰による明るさの勾配が出隅カバー５に現われること、との相乗作用によって、出隅カバー５にまさしく竹を思わせる外観を備えさせることができて、看者に和の審美的印象を与えることができる。
【００２５】
図４及び図５に示す第２実施形態の発光出隅構造は、同じく、廊下やリビングなどにおける壁面１，２間の出隅部３に適用した場合のもので、出隅部３に、該出隅部３を挟む両壁面部１，２を照らす光源６…が備えられている。
【００２６】
即ち、出隅部３には出隅カバー１１がピース物の取付け金物１７…で取付け設置され、該出隅カバー１１は、遮光性で、内面が反射面で、外周に丸みがあって、出隅部３に沿って上下方向に延びる長物からなっている。そして、出隅カバー１１の背後の壁本体の出隅部が面取りされることで、出隅カバー１１の背後に上下方向に延びる必要な広さの空間部が形成され、該空間部を利用して複数の共通光源６…が面取り部１２に取り付くようにして上下方向に列設され、出隅カバー１１と一方の壁面部１との間、及び、該出隅カバー１１ともう一方の壁面部２との間のそれぞれを透光部１６，１６とし、出隅カバー１１の内面部で反射し各透光部１６，１６を通過した共通光源６…の間接光で、出隅部３を挟む両壁面部１，２のそれぞれが照らされるようになされている。
【００２７】
この構造では、出隅部３を挟む両壁面部１，２が照らされることにより、暗がりのなかでも、照らされた両壁面部１，２の一方又は両方を視覚的に認識できることで、出隅部３の存在を明確に把握することができ、そのため、からだをぶつけたり、蹴ったりする危険性がなくなり、安全に行き来することができる。しかも、両壁面部１，２を照らす光源６…の数を、それぞれの壁面１，２をそれぞれの光源で照らす場合に比べて半減することができ、両壁面部１，２をともに照らすのに要するコストを低く抑えることができ、また、光源６…を出隅部３の一カ所に集中させることができてメンテナンス等も容易に行うことができる。
【００２８】
なお、上記の第１，第２実施形態では、建物の屋内の壁の出隅部に適用した場合を示したが、本発明の発光出隅構造は、屋外の壁の出隅部に適用することも可能である。
【００２９】
図６〜図８に示す第３実施形態の発光出隅構造は、図８に示すように、屋内吹抜け部１３における階上の壁面１４と階下の天井面１５との間の出隅部３に適用した場合のもので、出隅部３には、出隅カバー１１がピース物の取付け金物１７…で取付け設置され、該出隅カバー１１は、遮光性で、内面が反射面で、外周に丸みがあって、出隅部３に沿って水平方向に延びる長物からなっている。そして、出隅カバー１１の背後の壁と天井の境界出隅部が面取りされることで、出隅カバー１１の背後に水平方向に延びる必要な広さの空間部が形成され、該空間部を利用して複数の共通光源６…が面取り部１２に取り付くようにして水平方向に列設され、出隅カバー１１と壁面部１４との間、及び、該出隅カバー１１と天井面部１５との間のそれぞれを透光部１６，１６とし、出隅カバー１１の内面部で反射し各透光部１６，１６を通過した共通光源６…の間接光で、出隅部３を挟む壁面部１４の側と天井面部１５の側のそれぞれが照らされるようになされている。
【００３０】
この構造では、共通光源６…によって、出隅部３を挟む壁面部１４の側と天井面部１５の側の両方が照らされることにより、これら壁面部１４の側と天井面部１５の側を照らす光源６…の数を、それぞれの面部の側をそれぞれの光源で照らす場合に比べて半減することができ、壁面部１４の側と天井面部１５の側をともに照らすのに要するコストを低く抑えることができて経済的であり、また、光源６…を出隅部３の一カ所に集中させることができてメンテナンス等も容易に行うことができる。更に、光源６…は、遮光性の出隅カバー１１でカバーされているので、出隅を直視した際にまばゆさを感じることもなく、まぶしさから無意識にうちに出隅部３から目をそらしてしまうのを防ぐことができる。
【００３１】
なお、第３実施形態では、屋内吹抜け部１３における階上の壁面１４と階下の天井面１５との間の出隅部３に適用した場合を示したが、本発明の発光出隅構造は、屋外における垂れ壁と軒天との間の出隅部などに用いることも可能である。
【図面の簡単な説明】
【００３２】
【図１】第１実施形態の発光出隅構造を示すもので、図（イ）は部分拡大断面斜視図、図（ロ）は全体透視図である。
【図２】同発光出隅構造を示すもので、図（イ）は断面平面図、図（ロ）は発光状態を示す断面平面図である。
【図３】同発光構造の分解断面斜視図である。
【図４】第２実施形態の発光出隅構造を示すもので、図（イ）は出隅カバーを外した状態の断面斜視図、図（ロ）は付けた状態の断面斜視図である。
【図５】同発光出隅構造を示すもので、図（イ）は断面平面図、図（ロ）は発光状態を示す断面平面図である。
【図６】第３実施形態の発光出隅構造を示すもので、図（イ）は出隅カバーを外した状態の断面斜視図、図（ロ）は付けた状態の断面斜視図である。
【図７】同発光出隅構造を示すもので、図（イ）は断面側面図、図（ロ）は発光状態を示す断面側面図である。
【図８】同発光出隅構造を設ける建物の屋内空間構造を示す断面正面図である。
【符号の説明】
【００３３】
１，２…壁面部
３…出隅部
４…発光部
５…出隅カバー
６…光源
７…光源カバー
１１…出隅カバー
１４…壁面部
１５…天井面部
１６…透光部
【図１】
2005285664.tif 000003
【図２】
2005285664.tif 000004
【図３】
2005285664.tif 000005
【図４】
2005285664.tif 000006
【図５】
2005285664.tif 000007
【図６】
2005285664.tif 000008
【図７】
2005285664.tif 000009
【図８】
2005285664.tif 000010